(57)【要約】  【課題】単糸切れを抑制し、後工程での解舒の際にリングの発生を防止して、ダメージが少ない繊維を巻き上げることができるトラバースガイドトラバースガイドを提供する。  【解決手段】合成繊維の糸条を巻き上げるワインダーのトラバースガイド１であって、少なくとも糸条を導入するための切欠き２を有する糸条通過孔３が形成されており、この糸条通過孔３の断面形状が略楕円であり、糸条通過孔３の正面において、切欠きの最上部を繋ぐ線（ａ）と、その中心から引いた法線（ｂ）が交わる点（ｃ）から、切欠きに対して引いた接線（ｄ）と、前記法線（ｂ）とがなす角度（ｘ）が３０度〜６０度であることを特徴とするトラバースガイド。【選択図】図１
2008265972.tif 000002
【特許請求の範囲】
【請求項１】
合成繊維の糸条を巻き上げるワインダーのトラバースガイドであって、少なくとも糸条を導入するための切欠きを有する糸条通過孔が形成されており、この糸条通過孔の断面形状が略楕円であり、糸条通過孔の正面において、切欠きの最上部を繋ぐ線（ａ）と、その中心から引いた法線（ｂ）が交わる点（ｃ）から、切欠きに対して引いた接線（ｄ）と、前記法線（ｂ）とがなす角度（ｘ）が３０度〜６０度であることを特徴とするトラバースガイド。
【請求項２】
糸条導入のための切欠きの幅（ｅ）と糸条通過孔の長径（ｆ）との比が１：２〜３：５であることを特徴とする請求項１記載のトラバースガイド。
【請求項３】
糸条通過孔の長径（ｆ）と短径（ｇ）の比が２：１〜５：３であることを特徴とする請求項１または２記載のトラバースガイド。
【請求項４】
糸条通過孔の略楕円の長径（ｆ）の方向が、切欠きの最上部を繋ぐ線（ａ）と同方向であることを特徴とする請求項１〜３のいずれか１項記載のトラバースガイド。
【請求項５】
トラバースガイド本体の材質がセラミックスであることを特徴とする請求項１〜４のいずれか１項記載のトラバースガイド。
【請求項６】
アラミド繊維を巻き上げるために使用することを特徴とする請求項１〜５のいずれか１項記載のトラバースガイド。
【発明の詳細な説明】
【技術分野】
【０００１】
本発明は、ワインダーにより合成繊維糸条を巻き上げる際に使用するトラバースガイドの改良に関するものである。さらに詳しくは、単糸切れを抑制し、ダメージが少ない繊維を巻き上げることができるトラバースガイドに関するものである。
【背景技術】
【０００２】
合成繊維糸条は、その高い強力を利用し、産業用資材用途を中心に、幅広く使用されてきた。
【０００３】
そして、一般にこれらの合成繊維糸条は、ワインダーを使用することにより、紙・プラスチック等の筒に巻き上げられている。
【０００４】
このワインダーに使用されるトラバースガイドは、糸条にダメージを与えることなく巻き上げる形状をしていることが重要であり、例えばアラミド繊維を巻き上げるために使用するトラバースガイドとしては、少なくとも糸条を導入するための切欠きを有する糸条通過孔が形成されており、その糸条通過孔の断面形状が略楕円であり、かつ糸条通過孔の内壁が糸条走行方向に対して凸状曲面を呈しているトラバースガイド（例えば、特許文献１参照）が知られている。
【０００５】
しかしながら、このトラバースガイドは、収束性が向上し操業性の向上が見られるものの、高次加工時において、わずかに発生していた単糸切れの糸束がボビンから解舒されず、輪（リング）になり、繊維をボビンから解舒することを妨げるという現象が見られるという問題があった。つまり、高次加工時での操業性はいまだに悪く、改善の余地が残されていたのである。
【特許文献１】特開２０００−１２８４３１
【発明の開示】
【発明が解決しようとする課題】
【０００６】
本発明は、上述し従来技術における問題点の解決を課題として検討した結果達成されたものである。
【０００７】
したがって本発明の目的は、単糸切れを抑制し、後工程での解舒の際にリングの発生を防止して、ダメージが少ない繊維を巻き上げることができるトラバースガイドトラバースガイドを提供することにある。
【課題を解決するための手段】
【０００８】
上記目的を達成するため本発明によれば、合成繊維の糸条を巻き上げるワインダーのトラバースガイドであって、少なくとも糸条を導入するための切欠きを有する糸条通過孔が形成されており、この糸条通過孔の断面形状が略楕円であり、糸条通過孔の正面において、切欠きの最上部を繋ぐ線（ａ）と、その中心から引いた法線（ｂ）が交わる点（ｃ）から、切欠きに対して引いた接線（ｄ）と、前記法線（ｂ）とがなす角度（ｘ）が３０度〜６０度であることを特徴とするトラバースガイドが提供される。
【０００９】
なお、本発明のトラバースガイドにおいては、
糸条導入のための切欠きの幅（ｅ）と糸条通過孔の長径（ｆ）との比が１：２〜３：５であること、
糸条通過孔の長径（ｆ）と短径（ｇ）の比が２：１〜５：３であること、
糸条通過孔の略楕円の長径（ｆ）の方向が、切欠きの最上部を繋ぐ線（ａ）と同方向であること、
トラバースガイド本体の材質がセラミックスであること、および
アラミド繊維を巻き上げるために使用すること
が、いずれも好ましい条件として挙げられる。
【発明の効果】
【００１０】
本発明によれば、以下に説明するとおり、単糸切れを抑制し、後工程での解舒の際にリングの発生を防止して、ダメージが少ない繊維を巻き上げることができるトラバースガイドトラバースガイドを提供することができる。
【発明を実施するための最良の形態】
【００１１】
以下に、図面を参照しつつ本発明を詳述する。
【００１２】
図１は本発明のトラバースガイドの一例を示す正面図、図２は図１の糸条通過孔の拡大正面図を示すものである。
【００１３】
図１に示したように、本発明のトラバースガイド１は平板状で、中央に糸条通過孔２が平板を貫通して形成されている。また、この糸条通過孔２には糸条導入のための切欠き３が形成されており、この切欠き３も平板を貫通している。
【００１４】
糸条通過孔２の断面形状は楕円形であり、この糸状通過孔２の正面においては、切欠き３の最上部を繋ぐ線（ａ）と、その中心から引いた法線（ｂ）が交わる点（ｃ）から、切欠き３に対して引いた接線（ｄ）と、前記法線（ｂ）とがなす角度（ｘ）が３０度〜６０度、特に４０度〜６０度となっていることが重要である。
【００１５】
この角度（ｘ）は、３０度〜６０度の範囲であって、なかでも繊度に応じて角度が大きいほうが望ましく、３０度以上になると、糸条通過孔内に糸状が把持されやすくなり、さらに４０度以上になると、繊度の大きな糸にも効果が現れ始め、４４．４度になると、８０００ｄｔｅｘの太物に対しても大きな効果が発現する。これにより、単糸切れ、ひいてはリング発生の抑制力が飛躍的に向上するのである。
【００１６】
なお、角度（ｘ）が６０度を超えた場合は、トラバースガイドの形状自体を保てなくなるか、もしくは形状保持のためにガイド自体が巨大化してしまい、本来の目的への使用が困難になることから好ましくない。
【００１７】
また、糸条導入のための切欠きの幅（ｅ）と糸条通過孔の長径（ｆ）との比は１：２〜３：５の範囲で選ばれるのが望ましい。切欠きの幅（ｅ）がこの範囲を外れて長い（広い）と、糸条の把持が不完全で走行中に飛び出す可能性があり、また短すぎる（狭い）と、糸掛けが困難となり作業性が低下する可能性があるため好ましくない。
【００１８】
さらに、糸条通過孔の長径（ｆ）と短径（ｇ）の比は２：１〜５：３の範囲で選ばれるのが望ましい。この比を外れて長径が長すぎると、糸条が糸条通過孔内に把持されにくく、切欠きから外に飛び出す可能性があり、逆に短径が長すぎると、走行糸条が安定せず、繊維束に乱れが生ずる可能性があるため好ましくない。
【００１９】
さらにまた、糸条通過孔３の略楕円の長径（ｆ）の方向が、切欠き２の最上部を繋ぐ線（ａ）と同方向であることが望ましい。長軸が法線（ｂ）と同方向であった場合は、糸条が糸条通過孔３内に把持されにくく、切欠き２から外に飛び出す可能性があるため好ましくない。
【００２０】
本発明のトラバースガイドの材質は、金属でもよいが、好ましくはセラミックスである。本発明のトラバースガイドを適用する合成繊維は特に限定されないが、短糸切れによる毛羽が立ち易いアラミド繊維に適用することが最も効果的である。
【００２１】
なお、本発明のトラバースガイドは、通常ホルダーに取り付けられ、走行する糸条を切欠きから導入して糸条通過孔内で把持しながら、往復移動させることによって、ワインダー軸上のボビンに均一に糸条を捲回させるガイドとして用いられる。
【実施例】
【００２２】
以下、実施例を挙げて本発明を具体的に説明する。
【００２３】
［実施例１〜２、比較例１〜２］
セラミック製で、表１に示す角度（ｘ）を有する４種のトラバースガイドを用いて、アラミド繊維（東レ・デュポン株式会社製“ケブラー”）を巻取り、横取り解舒試験を行った。
【００２４】
各データの水準数はｎ＝３０であり、各水準でのリング発生割合を表２にまとめた。
【００２５】
【表１】
2008265972.tif 000003
【００２６】
【表２】
2008265972.tif 000004
【００２７】
表２に示すとおり、角度（ｘ）の増大に比例してリングの発生率が下がっていることが実証された。
【００２８】
つまり、本発明のトラバースガイドによれば、単糸切れが抑制されていると共に、解舒性も飛躍的に向上した結果となった。すなわち、角度（ｘ）が２８度（比較例２）においては、各繊度に対しリング発生を抑制する効果が出始めるが、未だに完全とは言えないものの、４４．４度（実施例２）になると、８０００ｄｔｅｘまでのすべての繊度に対し、リング発生率が０％となった。
【００２９】
また、角度（ｘ）が６０度を超えると、トラバースガイドの形状自体が保てなくなることから、６０度までは同等の効果が期待できると考えられる。
【産業上の利用可能性】
【００３０】
本発明のトラバースガイドは、単糸切れを抑制し、後工程での解舒の際にリングの発生を防止して、ダメージが少ない繊維を巻き上げることができることから、特に短糸切れによる毛羽が立ち易いアラミド繊維に適用すると効果的である。
【図面の簡単な説明】
【００３１】
【図１】本発明のトラバースガイドの一例を示す平面図である。
【図２】図１の糸条通過孔の拡大正面図である。
【符号の説明】
【００３２】
１  トラバースガイド
２  切欠き
３  糸条通過孔
【図１】
2008265972.tif 000005
【図２】
2008265972.tif 000006